(57)【要約】【課題】原稿台が帯電することにともない、読取部に影響が出ることを抑制する。【解決手段】本発明の原稿読取装置は、原稿が置かれる原稿台１１と、原稿台１１に置かれた原稿９を読み取る読取ユニットと、原稿台１１に対して開閉可能に設けられる原稿カバー１２と、原稿カバー１２を閉じた場合に、原稿台１１を挟んで読取ユニットに対峙する位置に設けられ原稿台１１に生じた静電気を除去する除電部材１３５とを備える。【選択図】図４
2018037748.tif 000002
【特許請求の範囲】
【請求項１】
原稿が置かれる原稿台と、
前記原稿台に置かれた原稿を読み取る読取部と、
前記原稿台に対して開閉可能に設けられる開閉部材と、
前記開閉部材を閉じた場合に、前記原稿台を挟んで前記読取部に対峙する位置に設けられ、前記原稿台に生じた静電気を除去する除電構造と
を備える、画像読取装置。
【請求項２】
前記読取部は、前記原稿台を挟んで当該原稿台に置かれた原稿と対峙するとともに原稿に沿って移動可能に設けられ、原稿からの光を受ける受光部を有し、
前記除電構造は、前記受光部の移動方向において、前記開閉部材が開閉される際に当該受光部に対峙する位置に設けられる対峙部材を有する
ことを特徴とする請求項１記載の画像読取装置。
【請求項３】
前記対峙部材は、長手方向が前記受光部の移動方向と交差する方向に延びる
ことを特徴とする請求項２記載の画像読取装置。
【請求項４】
前記開閉部材に設けられ前記原稿台に置かれた原稿に対して押し付けられる押付部材を有し、
前記対峙部材は、前記押付部材が原稿に押し付けられることにともない変形可能な板状部材である
ことを特徴とする請求項２または３記載の画像読取装置。
【請求項５】
前記押付部材を挟んで原稿とは反対側に設けられるとともに当該押付部材よりも弾性変形しやすい弾性部材を有し、
前記対峙部材は、前記押付部材と前記弾性部材との間に設けられる
ことを特徴とする請求項４記載の画像読取装置。
【請求項６】
原稿が置かれる原稿台と、
前記原稿台に置かれた原稿を読み取る読取部と、
前記原稿台に対して開閉可能に設けられる開閉部材と、
前記開閉部材に設けられた導電部材であって、当該開閉部材を閉じたときから、前記読取部が原稿を読み取るまでの間に、前記原稿台を挟んで当該読取部に対峙する位置に設けられた導電部材と
を備える、画像読取装置。
【請求項７】
原稿が置かれる原稿台と、
前記原稿台に置かれた原稿を読み取る読取部と、
前記原稿台に対して開閉可能に設けられる開閉部材と、
前記開閉部材を閉じた場合に、前記原稿台を挟んで前記読取部に対峙する位置に設けられ、前記原稿台に生じた静電気を除去する除電構造と、
前記読取部で読み取られた画像に基づいて用紙に画像を形成する画像形成部と
を有する画像形成装置。
【発明の詳細な説明】
【技術分野】
【０００１】
本発明は、画像読取装置および画像形成装置に関する。
【背景技術】
【０００２】
特許文献１には、原稿から画像を読み取るＣＩＳと、ＣＩＳを支持しつつ移動するキャリッジと、キャリッジとＣＩＳとを接続する導電部材と、ＣＩＳが有する基板に接続された接地線とを備え、導電部材とＣＩＳの基板とを導電可能に接続した画像読取装置が記載されている。
【先行技術文献】
【特許文献】
【０００３】
【特許文献１】特開２０１４−０１７５７３号公報
【発明の概要】
【発明が解決しようとする課題】
【０００４】
ところで、画像読取装置などにおいては、原稿台に置かれた原稿を取り除くあるいは原稿台に設けられた開閉部材を開けることにともない発生した静電気が読取部に影響すると、原稿台が帯電することがある。そして、この原稿台の帯電にともない、読取部によって読み取られる画像に乱れが生じることがある。
【０００５】
そこで、本発明では、原稿台が帯電することにともない、読取部に影響が出ることを抑制することを目的とする。
【課題を解決するための手段】
【０００６】
請求項１に記載の発明は、原稿が置かれる原稿台と、前記原稿台に置かれた原稿を読み取る読取部と、前記原稿台に対して開閉可能に設けられる開閉部材と、前記開閉部材を閉じた場合に、前記原稿台を挟んで前記読取部に対峙する位置に設けられ、前記原稿台に生じた静電気を除去する除電構造とを備える、画像読取装置である。
請求項２に記載の発明は、前記読取部は、前記原稿台を挟んで当該原稿台に置かれた原稿と対峙するとともに原稿に沿って移動可能に設けられ、原稿からの光を受ける受光部を有し、前記除電構造は、前記受光部の移動方向において、前記開閉部材が開閉される際に当該受光部に対峙する位置に設けられる対峙部材を有することを特徴とする請求項１記載の画像読取装置である。
請求項３に記載の発明は、前記対峙部材は、長手方向が前記受光部の移動方向と交差する方向に延びることを特徴とする請求項２記載の画像読取装置である。
請求項４に記載の発明は、前記開閉部材に設けられ前記原稿台に置かれた原稿に対して押し付けられる押付部材を有し、前記対峙部材は、前記押付部材が原稿に押し付けられることにともない変形可能な板状部材であることを特徴とする請求項２または３記載の画像読取装置である。
請求項５に記載の発明は、前記押付部材を挟んで原稿とは反対側に設けられるとともに当該押付部材よりも弾性変形しやすい弾性部材を有し、前記対峙部材は、前記押付部材と前記弾性部材との間に設けられることを特徴とする請求項４記載の画像読取装置である。
請求項６に記載の発明は、原稿が置かれる原稿台と、前記原稿台に置かれた原稿を読み取る読取部と、前記原稿台に対して開閉可能に設けられる開閉部材と、前記開閉部材に設けられた導電部材であって、当該開閉部材を閉じたときから、前記読取部が原稿を読み取るまでの間に、前記原稿台を挟んで当該読取部に対峙する位置に設けられた導電部材とを備える、画像読取装置である。
請求項７に記載の発明は、原稿が置かれる原稿台と、前記原稿台に置かれた原稿を読み取る読取部と、前記原稿台に対して開閉可能に設けられる開閉部材と、前記開閉部材を閉じた場合に、前記原稿台を挟んで前記読取部に対峙する位置に設けられ、前記原稿台に生じた静電気を除去する除電構造と、前記読取部で読み取られた画像に基づいて用紙に画像を形成する画像形成部とを有する画像形成装置である。
【発明の効果】
【０００７】
請求項１の発明によれば、原稿台が帯電することにともない、読取部に影響が出ることを抑制することができる。
請求項２の発明によれば、受光部の移動方向における対峙部材の寸法を抑制することができる。
請求項３の発明によれば、受光部の移動方向と交差する方向における画像の乱れを抑制することができる。
請求項４の発明によれば、押付部材が原稿を確実に押さえることを対峙部材が妨げることが抑制される。
請求項５の発明によれば、押付部材が原稿を確実に押さえることを妨げずに対峙部材が除電を行うことができる。
請求項６の発明によれば、原稿台が帯電することにともない、読取部に影響が出ることを抑制することができる。
請求項７の発明によれば、原稿台が帯電することにともない、読取部に影響が出ることを抑制することができる。
【図面の簡単な説明】
【０００８】
【図１】本実施の形態が適用される画像形成装置の概略構成図である。
【図２】原稿読取装置の概略構成図である。
【図３】読取ユニットの概略構成図である。
【図４】原稿カバーの概略構成図である。
【図５】抑え部材の概略構成図である。
【図６】除電部材の概略構成図である。
【発明を実施するための形態】
【０００９】
以下、添付図面を参照して、本発明の実施の形態について説明する。
＜画像形成装置１００＞
図１は、本実施の形態が適用される画像形成装置１００の概略構成図である。
図１に示すように、画像形成装置１００は、原稿９の情報を読み取る原稿読取装置１と、原稿読取装置１で読み取った原稿の情報（読取画像）に基づいて画像を記録紙３０に形成する画像形成部２と、画像形成部２に供給する記録紙３０を収容するとともに送り出す給紙部３とを備えている。この画像形成装置１００では、画像形成部２と給紙部３とを本体１０１の内部に収容した状態で配置する一方で、本体１０１の上方の位置に空間をあけた状態で原稿読取装置１を配置している。本体１０１は、その上面部に上記空間を利用した状態で、画像が形成された記録紙３０を排出して収容するための排出収容部１０２を形成している。
【００１０】
画像読取装置の一例である原稿読取装置１は、筐体１０を有する。この筐体１０の前面側の上部にタッチパネル１１１と複数の操作ボタン１１２とを備えた操作受付部１１０を配置している。タッチパネル１１１は、ユーザに操作メニューや警告、メッセージなどを表示する。また、タッチパネル１１１および操作ボタン１１２は、各種設定などに関する入力情報を受け付ける。
【００１１】
また、原稿読取装置１は、筐体１０の上面部に、原稿９を置く光透過性の原稿台（読取台、プラテンガラス）１１と、その原稿台１１を覆うとともに筐体１０に対して開閉操作できる原稿カバー（プラテンカバー）１２とを有する。開閉部材の一例である原稿カバー１２には、原稿９を読取位置まで搬送するとともに読み取り後の原稿９を排出する自動原稿搬送部１３と、自動原稿搬送部１３により送るべき原稿９を置くための原稿トレイ１２ａと、自動原稿搬送部１３から排出される原稿９を収容するための収容部１２ｂと、原稿カバー１２の開閉を検知する原稿カバースイッチ２１とが設けられている。ここで、原稿カバースイッチ２１は、原稿カバー１２が筐体１０に対して開いている開状態と、原稿カバー１２が筐体１０に対して閉じている閉状態と、開状態および閉状態の間で所謂半開きの状態である半開状態とを各々検知可能である。また、原稿カバースイッチ２１は、リミットスイッチなど周知のスイッチを採用し得る。
【００１２】
画像形成部２は、例えば電子写真方式にて、イエロー（Ｙ），マゼンダ（Ｍ），シアン（Ｃ），ブラック（Ｋ）の各色のトナー像を形成する像形成ユニット２０と、その像形成ユニット２０で形成されたトナー像を記録紙３０に転写するまで搬送する中間転写ユニット２６と、中間転写ユニット２６から記録紙３０に転写したトナー像を定着する定着ユニット２７とを備えている。
【００１３】
給紙部３は、所要のサイズ、種類などからなる複数枚の記録紙３０を積み重ねた状態で収容可能な引き出し式の収容体３１と、この収容体３１に収容される記録紙３０を１枚ずつ搬送路に送り出す送出装置３２とを有する。給紙部３と画像形成部２との間には、給紙部３から送り出された記録紙３０を二次転写位置まで搬送する供給搬送路２８が配置されている。
【００１４】
次に、画像形成装置１００の基本的な動作について説明をする。
まず、原稿読取装置１では、ユーザが原稿台１１および原稿トレイ１２ａのいずれか一方に原稿９を置く。そして、ユーザがタッチパネル１１１および操作ボタン１１２を操作して原稿読み取りを指示すると、原稿９の読み取り動作が開始される。すなわち、原稿読取装置１が原稿９の読み取り情報を取得する。そして、画像形成部２が、原稿読取装置１から受信した原稿９の読み取り情報に基づいて、画像形成動作を実行する。この際、画像形成部２の動作にあわせて、給紙部３から記録紙３０が送り出される。そして、記録紙３０は、画像形成部２にてトナー像が形成および定着された後、排出収容部１０２へと排出される。以上の画像形成の動作は、原稿９の枚数や画像形成枚数に応じた分だけ同様に繰り返される。
【００１５】
＜原稿読取装置１＞
図２は、原稿読取装置１の概略構成図である。
原稿読取装置１は、原稿９などの画像を読み取るモード（機能）として、複数の読取モードを有する。すなわち、原稿読取装置１は、原稿カバー１２における原稿トレイ１２ａに置かれたシート状の原稿９を自動原稿搬送部１３により収容部１２ｂに向けて搬送しながら原稿９の情報を読み取る原稿搬送読取モードと、筐体１０の上面部における原稿台１１に置かれた原稿９を固定した状態で読み取る固定読取モードとを有する。
【００１６】
原稿読取装置１の筐体１０の上面部には、固定読取モード時に原稿９を置き原稿９の読み取り窓となる原稿台１１が配置されている。また、筐体１０の上面部のうち原稿台１１の一端側であって自動原稿搬送部１３と対向する位置には、原稿搬送読取モード時において自動原稿搬送部１３により搬送される原稿９を読み取る窓となる読取窓部１４が配置されている。原稿台１１および読取窓部１４の各々は、無色透明のガラス板により構成されている。また、筐体１０の内部には、上記各読取モード時において原稿９に光を照射しながら原稿９の画像を読み取る読取ユニット１５が配置されている。なお、図２においては、読取ユニット１５から発せられる光の主な進む経路（光路）を二点鎖線で示している。
【００１７】
読取部の一例である読取ユニット１５は、直線状の読取方向（副走査方向）に往復移動する稼働型のものである。図示の読取ユニット１５は、筐体１０の内部において副走査方向に沿って伸びるレール１５６に案内されて往復移動する。また、読取ユニット１５は、副走査方向における一方から他方向きに並ぶ第１位置Ｐ１、第２位置Ｐ２、第３位置Ｐ３の各位置をとり得る。付言すると、この読取ユニット１５は、副走査方向において、第１位置Ｐ１および第３位置Ｐ３の間で移動可能である。
【００１８】
ここで、読取ユニット１５は、原稿搬送読取モードにおいては、副走査方向における読取窓部１４と対向する位置である第１位置Ｐ１に固定された状態で、原稿９の読み取りを行う。一方、読取ユニット１５は、固定読取モードにおいては、副走査方向（原稿台１１）に沿って移動しながら、原稿９の読み取りを行う。
【００１９】
なお、図示の例においては、第２位置Ｐ２が読取ユニット１５の所謂ホームポジションである。すなわち、ユーザが原稿カバー１２を開閉する際、あるいは原稿台１１に原稿９を載せる際などに、読取ユニット１５は第２位置Ｐ２に配置される。この第２位置Ｐ２は、副走査方向において、排出案内部材１８ｃ（後述）を挟んで第１位置Ｐ１（読取窓部１４）とは反対側に位置する。
【００２０】
また、第２位置Ｐ２に配置された読取ユニット１５は、原稿台１１に載せられた原稿９と、原稿台１１を挟んで対峙する。そして、読取ユニット１５は、ユーザが原稿カバー１２を閉じることにともない、原稿９の主走査方向の端部および原稿９に形成された画像における主走査方向の端部を検出する。さらに説明をすると、読取ユニット１５は、原稿カバースイッチ２１が開状態から半開状態に切り替わったことを検知することにともない、原稿９の主走査方向の端部の位置を検出し、原稿９のサイズを検知する。また、読取ユニット１５は、原稿カバースイッチ２１が半開状態から閉状態に切り替わったことを検知することにともない、原稿９における画像の主走査方向の端部の位置を検出する。付言すると、ホームポジションである第２位置Ｐ２は、原稿９のサイズを検知する原稿サイズ検知位置としても捉えることができる。
【００２１】
自動原稿搬送部１３は、原稿トレイ１２ａから取り込んだ原稿９を搬送する原稿搬送路１８と、原稿搬送路１８に沿って搬送される原稿９を読取位置Ｐｒに案内する読取案内部材１９とを有する。原稿搬送路１８は、原稿９が読取位置Ｐｒを通過した後に収容部１２ｂへと排出させるように形成される。読取案内部材１９は、読取窓部１４と対峙する位置に設けられる。また、読取案内部材１９は、原稿９の搬送経路から離間する向きに凹む部分に背景反射部４を有する。この背景反射部４は、原稿９が存在しないときに、光検出素子１５５が飽和する程度の光量の反射光を反射することが可能である。そして、原稿９の搬送にともない光検出素子１５５が受光する光の光量の変化により、読取位置Ｐｒにおける原稿９の有無、原稿９の幅、あるいは原稿９の傾き量などが検出される。
【００２２】
図示の例においては、原稿搬送路１８は、原稿９を搬送する複数の搬送ロール１８ａと、原稿９を案内する搬送ガイド材１８ｂと、読取窓部１４を通過した原稿９を読取窓部１４および原稿台１１の間で排出用の原稿搬送路１８側に案内するための排出案内部材１８ｃと、原稿トレイ１２ａにおける原稿９の有無を検知する検知センサーＳｎ１と、原稿９の通過を検知する検知センサーＳｎ２とを有する。
【００２３】
＜読取ユニット１５＞
図３は、読取ユニット１５の概略構成図である。なお、図３においては、明瞭化のため第１光源１５１Ｌ（図２参照）の記載を省略している。
次に、図３を参照しながら読取ユニット１５の概略構成について説明をする。
図３に示すように、読取ユニット１５は、原稿に沿って移動し原稿９からの光を受け取りながら、原稿９の画像を読み取るＣＩＳ（Contact  Image  Sensor：密着イメージセンサ）を用いた、所謂等倍光学系により構成されている。
【００２４】
具体的に説明をすると、読取ユニット１５は、光源１５１、レンズ１５３、光検出素子１５５、駆動回路１５７、基板１５９、および読取ユニット枠体１６０を含んで構成される。
【００２５】
光源１５１は、複数のＬＥＤ（Light Emitting Diode）チップを基板上に直線状に並べて配置したライン型のＬＥＤアレイにより構成される。この光源１５１は、そのライン方向（ＬＥＤチップの直線状に並ぶ方向）が、原稿搬送読取モード時における原稿９の搬送方向とほぼ直交する交差方向（主走査方向、図２の紙面の鉛直方向）に沿って延びる状態で配置されている。図示の例においては、光源１５１は、原稿９の搬送方向（副走査方向）において光検出素子１５５を挟む位置に、第１光源１５１Ｌ（図２参照）と第２光源１５１Ｒとを有する。
【００２６】
レンズ１５３は、正立等倍結像型のレンズを主走査方向に複数配列した結像素子である。
このレンズ１５３は、光源１５１から照射され原稿９で反射する光を光検出素子１５５に導く。図示の例としては、レンズ１５３は、セルフォック（登録商標）・レンズ・アレイを用いている。
受光部の一例である光検出素子１５５は、主走査方向に配置されたＣＣＤ（Charge Coupled Device）ラインセンサで構成されており、原稿９の画像を１ラインごとに読み取る。この光検出素子１５５は、原稿９の幅よりも長くなるように設定されている。なお、光検出素子１５５の操作方向に配列する列数は特に限定されないが、図示の例においては１列としている。
【００２７】
駆動回路１５７は、光検出素子１５５の読み取りタイミングなどを制御する回路である。
基板１５９は、上記光検出素子１５５および駆動回路１５７などが搭載されている。図示の例においては、基板１５９は、所謂プリント基板であり、長手方向が主走査方向に沿って配置された長尺状の部材である。
読取ユニット枠体１６０は、読取ユニット１５を構成する上記各構成部材を支持する部材である。図示の例においては、読取ユニット枠体１６０は、長手方向が主走査方向に沿って配置された直方体状の部材である。また、この読取ユニット枠体１６０は、金属材料よりも低コストで非導電性のある樹脂材料（例えばエポキシ樹脂など）で形成されている。
【００２８】
＜原稿カバー１２＞
図４は、原稿カバー１２の概略構成図である。
次に、図４を参照しながら原稿カバー１２の概略構成について説明をする。
上述のように、開閉部材の一例である原稿カバー１２は、原稿台１１を覆うとともに筐体１０に対して開閉可能に設けられる。この原稿カバー１２は、カバー本体１２０と、カバー本体１２０における原稿台１１と対峙する面に設けられ原稿９を抑える抑え部材１３０とを有する。
【００２９】
ここで、固定読取モードにおける原稿９の読み取りにともなう動作を具体的に説明する。まず、原稿カバー１２が閉鎖状態であるとすると、ユーザは原稿カバー１２を開けた後、原稿台１１に原稿９を置く。そして、ユーザが原稿カバー１２を閉じた後、タッチパネル１１１（図１参照）などを操作することにともない、上記読取ユニット１５による原稿９の読み取りが実行される。そして、ユーザが再び原稿カバー１２を開けた後、原稿９が取り除かれる。
【００３０】
ここで、ユーザが原稿台１１に置く原稿９や、原稿９を抑える抑え部材１３０が帯電していることがある。また、原稿カバー１２を開くことや、原稿台１１から原稿９を取り除くことにともなう剥離帯電により、原稿９あるいは原稿台１１が高電位に帯電することがある。このように、ユーザによる原稿カバー１２の開閉動作、あるいは原稿９の配置・除去動作にともない、原稿９や原稿台１１が帯電すると、読取ユニット１５が影響を受け、結果として読取画像の画質が低下し得る。さらに説明をすると、光検出素子１５５（後述）の局所的な感度低下やリニアリティ（直線性）が低下し、読取画像に画像スジなどの不良が発生することがある。すなわち、コピー／スキャナの画像読取装置において、お客様の使用環境・条件により避けられない静電気によるセンサー不具合（画質不良）が生じ得る。
そこで、本実施の形態においては、これらの原稿９や原稿台１１を除電するために除電部材１３５を有する。以下、この除電部材１３５を含む抑え部材１３０の構成について詳細に説明をする。
【００３１】
＜抑え部材１３０＞
図５は、抑え部材１３０の概略構成図である。
次に、図５を参照しながら抑え部材１３０の概略構成について説明をする。
図５に示すように、抑え部材１３０は、原稿９と接触する接触板１３１と、接触板１３１を挟んで原稿９（原稿台１１）とは反対側で接触板１３１に重ねて設けられる弾性体１３３と、接触板１３１および弾性体１３３の間に設けられる除電部材１３５とを有する。
【００３２】
押付部材の一例である接触板１３１は、樹脂製の板状部材である。この接触板１３１は、読取画像において原稿９の背景となることから、その板面が白色である。また、接触板１３１は、板面の大きさが原稿９よりも大きい。
弾性部材の一例である弾性体１３３は、原稿９の厚みが異なる場合にも接触板１３１によって原稿９を確実に抑えるため、接触板１３１よりも高弾性での部材により構成されている。図示の例においては、弾性体１３３は、スポンジ材、すなわち多孔性の樹脂部材を板状に整形したものである。また、弾性体１３３は、板面の大きさが接触板１３１と略同一であり、厚さが接触板１３１よりも厚い。
【００３３】
除電構造、対峙部材、および導電部材の一例である除電部材１３５は、長手方向が主走査方向に沿って設けられる長尺状の部材である。この除電部材１３５は、副走査方向においてホームポジションである第２位置Ｐ２に配置された読取ユニット１５（図２参照）と対峙する位置に設けられている。言い替えると、第２位置Ｐ２でユーザの画像読取指示（コピー指示）に備え待機（スタンバイ）する読取ユニット１５と、接触板１３１および原稿台１１を挟んで対峙する位置に限定して、除電部材１３５は設けられている。
【００３４】
また、除電部材１３５は、接触板１３１（あるいは弾性体１３３）よりも導電性が高い材料で構成されている。この除電部材１３５は、例えば搬送ロール１８ａ（図２参照）を支持する金属製の支持体（不図示）などを介して接地されている。
図示の例においては、除電部材１３５は、厚さが接触板１３１よりも薄い金属箔（金属片）により形成されている。また、詳細は後述するが、除電部材１３５は、板面の大きさが接触板１３１よりも小さく、接触板１３１全体を覆わない寸法である。言い替えると、副走査方向の長さは、接触板１３１よりも除電部材１３５の方が短い。このことにより、除電部材１３５の寸法を抑制し得る。なお、図示の例においては、除電部材１３５の主走査方向の長さを長さＬ１、副走査方向の長さを幅Ｗ１とする。
【００３５】
ここで、除電部材１３５は、接触板１３１と弾性体１３３との間、言い替えると、接触板１３１の裏側に設けられ、接触板１３１における原稿９と直接接触する面側には設けられていない。このことにより、除電部材１３５が原稿台１１に押し付けられ、原稿台１１を傷つけることを抑制される。また、原稿９からみて接触板１３１の背面に除電部材１３５が位置することから、読取画像の背景となる接触板１３１のように除電部材１３５を白色で形成するという色の制限が無くなる。
また、除電部材１３５は、金属箔のような厚みの薄い部材で形成されることにより弾性変形可能である。このことにより、除電部材１３５は、弾性体１３３の変形を妨げない。したがって、除電部材１３５は、原稿９を確実に抑え得る。
【００３６】
上記のように構成される除電部材１３５は、接触板１３１および弾性体１３３が除電される。また、除電部材１３５は、接触板１３１を介して原稿９あるいは原稿台１１を除電する。言い替えると、除電部材１３５により、光検出素子１５５の有効画素部が電気的に保護される。その結果、読取ユニット１５による読取画像の画質が低下することが抑制され得る。
さて、本実施の形態とは異なり、原稿台１１などの帯電にともなう読取画像の画質低下を抑制するためには、カバー本体１２０ではなく、読取ユニット１５に金属部材などの除電機構を設ける態様も考えられる。ここで、読取ユニット１５は、上述のように移動可能に設けられていることから、仮に読取ユニット１５に除電機構を設けると除電部材を接地させるための構造が必要となり、その構成は複雑となる。一方、本実施の形態においては、除電部材１３５がカバー本体１２０に固定して設けられていることから、このような態様と比較して、接地のための構造が簡易となり得る。
【００３７】
＜除電部材１３５＞
図６は、除電部材１３５の概略構成図である。より具体的には、図６（ａ）は副走査方向における除電部材１３５の寸法を説明する図であり、図６（ｂ）は主走査方向における除電部材１３５の寸法を説明する図である。
次に、図６を参照しながら除電部材１３５の概略構成について説明をする。
【００３８】
図６（ａ）および（ｂ）に示すように、除電部材１３５は、ホームポジションである第２位置Ｐ２に配置された読取ユニット１５の光検出素子１５５を覆う寸法である。さらに説明をすると、除電部材１３５の幅Ｗ１は、光検出素子１５５の幅Ｗ２とほぼ一致する。
なお、図示の例においては、除電部材１３５の幅Ｗ１は、光検出素子１５５の幅Ｗ２よりも大きい。また、除電部材１３５の長さＬ１は、光検出素子１５５の長さＬ２よりも大きい。また、図示の例においては、除電部材１３５は、基板１５９よりも小さい寸法である。具体的には、除電部材１３５の長さＬ１は、基板１５９の幅Ｗ３よりも小さい。また、除電部材１３５の長さＬ１は、基板１５９の長さＬ３よりも小さい。
【００３９】
＜変形例＞
さて、上記においては、除電部材１３５は、接触板１３１および弾性体１３３の間に設けられることを説明したが、これに限定されない。除電部材１３５は、カバー本体１２０に対して固定されればよく、接触板１３１の表面、弾性体１３３とカバー本体１２０との間に設けてもよい。また、抑え部材１３０に貫通孔や溝などを形成して、そこに除電部材１３５を設けてもよい。
また、除電部材１３５は、金属箔であることを説明したが、これに限定されない。除電部材１３５の形状は、特に限定されるものではなく、板状、棒状、線状、網状など他の形状であってもよい。また、除電部材１３５は、接触板１３１と比較して導電性が高い材料であれば、金属でなくてもよい。
また、上記においては、除電部材１３５は、基板１５９よりも小さい寸法であることを説明したが、これに限定されない。読取ユニット１５の原稿台１１の全体を覆う寸法でなければ、基板１５９よりも大きい寸法であってもよい。
【００４０】
また、上記では種々の実施形態および変形例を説明したが、これらの実施形態や変形例どうしを組み合わせて構成してももちろんよい。
また、本開示は上記の実施形態に何ら限定されるものではなく、本開示の要旨を逸脱しない範囲で種々の形態で実施することができる。
【符号の説明】
【００４１】
１…原稿読取装置、１１…原稿台、１２…原稿カバー、２１…原稿カバースイッチ、１５…読取ユニット、１００…画像形成装置、１３０…抑え部材、１３５…除電部材
【図１】
2018037748.tif 000003
【図２】
2018037748.tif 000004
【図３】
2018037748.tif 000005
【図４】
2018037748.tif 000006
【図５】
2018037748.tif 000007
【図６】
2018037748.tif 000008